(57)【要約】本発明は、情報を格納している情報格納部と、速度などの移動状態を検知する検知部と、その移動状態に基づき送信する距離を変更して格納された情報を送信する情報送信部を具備する情報送信装置であり、移動状態に基づいて、自動的に情報の送信距離を変化させることにより、情報を受信して動作する装置をタイミングよく動作させることができる。
2004047319.tif 000002
【特許請求の範囲】
【請求項１】
情報送信装置であって、
情報を格納している情報格納部と、
前記情報送信装置の移動状態を検知する検知部と、
前記移動状態に基づいて前記情報を送信する距離を変更して、前記情報を送信する情報送信部を有する。
【請求項２】
請求項１記載の情報送信装置であって、前記移動状態が、前記情報送信装置の移動速度、移動の加速度、移動距離及び移動コースから選ばれる少なくとも１の状態でありであり、前記検知部が前記移動状態を検知する。
【請求項３】
請求項１記載の情報送信装置であって、前記情報送信部は、ブルートゥースの規格に適合する通信手段である。
【請求項４】
請求項１記載の情報送信装置であって、前記情報送信部は、前記移動状態を複数の段階に区分し、区分された段階毎に所定の電力で前記格納された情報を送信する。
【請求項５】
請求項１記載の情報送信装置であって、前記情報送信部は、前記移動状態を複数の段階に区分し、区分された段階毎に送信する距離を変更して前記格納された情報を送信する。
【請求項６】
請求項１記載の情報送信装置であって、
前記検知部が前記情報送信装置の移動速度、移動の加速度、移動距離及び移動コースから選ばれる少なくとも１の状態を検知し、
前記情報送信部は、検知された前記移動状態を複数の段階に区分し、前記段階ごとに前記格納された情報を送信する距離を変更して送信する。
【請求項７】
動作装置であって、
情報を格納している情報格納部と、前記情報送信装置の移動状態を検知する検知部と、前記移動状態に基づいて前記情報を送信する距離を変更して、前記情報を送信する情報送信部を有する情報送信装置から情報を受信する情報受信部と、
前記受信した情報に基づいて認証を行う認証部と、
前記認証部における認証結果が認証許可との認証結果である場合に、予め決められた動作を行う動作部を具備する。
【請求項８】
請求項７記載の動作装置であって、前記動作装置が自動ドアであり、前記動作部は前記ドアを開く動作を行う。
【請求項９】
情報処理システムであって
情報を格納している情報格納部と、
前記情報送信装置の移動状態を検知する検知部と、
前記移動状態に基づいて前記情報を送信する距離を変更して前記情報を送信する情報送信部と
を有する情報送信装置と、
前記情報送信装置から情報を受信する情報受信部と、
前記受信した情報に基づいて認証を行う認証部と、
前記認証部における認証結果が認証許可との認証結果である場合に、予め決められた動作を行う動作部と
を有する動作装置からなる。
【請求項１０】
請求項９記載の情報処理システムであって、
前記移動状態が、前記情報送信装置の移動速度、移動の加速度、移動距離及び移動コースから選ばれる少なくとも１の状態であり、
前記検知部が前記移動状態を検知し、
前記情報送信部は、ブルートゥースの規格に適合する通信手段である。
【請求項１１】
請求項９記載の情報処理システムであって前記情報送信部は、前記移動状態を複数の段階に区分し、前記段階毎に所定の電力で前記情報を送信する。
【請求項１２】
コンピュータに実行させるためのプログラムであって、
情報送信装置の移動状態を検知する検知ステップと、
前記移動状態に基づいて、格納している情報を送信する距離を変更して、当該情報を送信する情報送信ステップを有する。
【請求項１３】
請求項１２記載のプログラムであって、
前記検知ステップが前記情報送信装置の移動速度、移動の加速度、移動距離及び移動コースから選ばれる少なくとも１の状態を検知するステップであることを特徴とする。
【請求項１４】
請求項１２記載のプログラムであって、
前記検知ステップが、前記情報送信装置の移動する速度を検知するステップを含み、
前記情報送信ステップが、前記速度に基づいて前記情報を送信する距離を変更して送信するステップを含む。
【請求項１５】
請求項１２記載のプログラムであって、
前記検知ステップが、前記情報送信装置の移動する加速度を検知するステップを含み、
前記情報送信ステップが、前記加速度に基づいて前記情報を送信する距離を変更して送信するステップを含む。
【発明の詳細な説明】
【技術分野】  本発明は、速度または加速度などの移動状態に応じて情報の送信距離を変更する情報処理システム等に関する。
【背景技術】  従来技術として、ブルートゥース（Ｂｌｕｅｔｏｏｔｈ）が知られている。同技術は、無線通信規格であり、伝送距離は送信電力が１ｍＷのときに約１０ｍと、省電力、短距離を意識した無線規格である。また、送信電力を上げることにより、現在のところ、最大で１００ｍまで伝送距離を伸ばすことができる。
（Ｂｌｕｅｔｏｏｔｈは「テレフオンアクチーボラゲット  エル  エム  エリクソン」社の登録商標）
しかし、上記従来技術では、移動する速度や移動する加速度に基づいて、自動的に情報の送信距離が変わらないために、移動する情報送信装置から情報を受信して動作する装置が、タイミングよく動作できない、という問題があった。さらに、上記従来技術では、「停止中には、ごく近距離だけに情報を送信して近傍の機器のみを認証し、一方、移動中にはタイミングよく認証可能なように速度に応じて送信する」ことができない、という問題があった。
【発明の開示】
本発明の目的は、移動状態に応じて、自動的に情報の送信距離が変化し、情報を受信して動作する装置がタイミングよく動作できるようにすることである。この目的を実現するため、本発明の情報送信装置は、情報を格納している情報格納部と、前記情報送信装置の移動状態を検知する検知部と、前記移動状態に基づいて前記情報を送信する距離を変更して、前記情報を送信する情報送信部を有する。
また、本発明の動作装置は、上記の情報送信装置から情報を受信する情報受信部と、前記受信した情報に基づいて認証を行う認証部と、前記認証部における認証結果が認証許可との認証結果である場合に、予め決められた動作を行う動作部を有する。
また、本発明の情報処理システムは、上記の情報送信装置と動作装置からなる情報送受信装置であり、本発明のプログラムはコンピュータに上記の情報処理システムにおける各ステップの制御を実行させる。
【図面の簡単な説明】図１は、実施の形態における情報処理システムのブロック図である。
図２は、実施の形態における情報送信装置の動作について説明するフローチャートである。
図３は、実施の形態における動作装置の動作について説明するフローチャートである。
図４は、実施の形態における情報処理システムの概念図である。
図５は、実施の形態における実施例１の情報送信装置の情報送信モード管理表を示す図である。
図６は、実施の形態における動作装置の情報送信装置識別子管理表を示す図である。
図７は、実施の形態における実施例２の情報送信装置の情報送信モード管理表を示す図である。
図８は、実施の形態における実施例３の情報処理装置の情報送信モード管理表を示す図である。
【発明を実施するための最良の形態】  （発明の実施の形態）
以下、情報処理システム等の実施形態について図面を参照して説明する。なお、実施の形態において同じ符号を付した構成要素は同様の動作を行うので、再度の説明を省略する場合がある。
図１は、実施の形態における情報処理システムのブロック図である。情報処理システムは、情報送信装置１１と動作装置１２を有する。
情報送信装置１１は、情報格納部１１０１、速度検知部１１０２、情報送信部１１０３を具備する。動作装置１２は、情報受信部１２０１、認証部１２０２、動作部１２０３を具備する。
情報格納部１１０１は、情報を格納している。情報は、動作装置１２で認証を行うための情報や、情報送信装置１１を識別するための情報送信装置識別子などの情報を含むものである。但し、情報の内容や構造等は問わない。情報格納部１１０１は、不揮発性の記録媒体でも揮発性の記録媒体でも良い。
速度検知部１１０２は、情報送信装置１１の動く速度を検知する。速度検知部１１０２は、速度センサとそのドライバーソフトウェアによって実現することが出来る。
情報送信部１１０３は、速度に基づいて情報を送信できる距離を変更して、情報格納部１１０１の情報を送信する。情報送信部１１０３は、無線通信手段で実現され得る。情報送信部１１０３は、例えば、ブルートゥースの規格に適合する通信手段である。情報送信部１１０３は、例えば、速度に基づいて、情報を送信する距離を３段階に変更して、情報を送信する。また、情報送信部１１０３は、例えば、ブルートゥース以外のＵｌｔｒａ  ＷｉｄｅＢａｎｄ  Ａｃｃｅｓｓ、ＩＥＥＥ８０２．１１ｂ、ＩｒＤＡ、Ｗｉｒｅｌｅｓｓ１３９４等の規格に適合する通信手段であっても良い。
情報受信部１２０１は、情報送信装置１１から情報を受信する。情報受信部１２０１は、無線通信手段で実現され得る。情報受信部１２０１は、例えば、ブルートゥースの規格に適合する通信手段である。情報受信部１２０１は、例えば、ブルートゥース以外のＵｌｔｒａ  ＷｉｄｅＢａｎｄ  ＡｃｃｅｓｓやＩＥＥＥ８０２．１１ｂ等の規格に適合する通信手段であっても良い。
認証部１２０２は、受信した情報に基づいて認証を行う。認証部１２０２は、例えば、以下の処理により認証を行う。認証部１２０２は、認証される情報送信装置を識別する情報送信装置識別子を１以上格納している。認証部１２０２は、受信した情報が、格納している情報送信装置識別子の中に存在するか否かを判断し、存在すれば認証許可と判断し、存在しなければ認証不許可と判断する。認証部１２０２は、通常、ＭＰＵやメモリ等から実現され得る。認証部１２０２が認証するための処理手順は、通常、ソフトウェアで実現され、当該ソフトウェアはＲＯＭ等の記録媒体に記録されている。但し、ハードウェア（専用回路）で実現しても良い。
動作部１２０３は、認証部１２０２において、「認証許可」という認証結果を得た場合に、予め決められた動作を行う。ここでいう動作には種々の動作が含まれており、本発明は動作の内容によっては限定されない。なお、動作の内容は、他の情報や要因により変化しても良い。動作は、例えば、自動ドアを開く動作である。かかる場合、動作装置は、自動ドアである。
以下、本情報処理システムの動作について説明する。まず、情報送信装置１１の動作について、図２のフローチャートを用いて説明する。
（ステップＳ２０１）情報送信部１１０３は、情報格納部１１０１から情報を取得する。
（ステップＳ２０２）速度検知部１１０２は、情報送信装置１１が動く速度を検知する。
（ステップＳ２０３）情報送信部１１０３は、ステップＳ２０２で検知した速度に基づいて、情報を送信するモードを決定する。このモードは、情報の送信距離を決定するモードである。つまり、モードが異なれば、情報の送信距離が異なる。
（ステップＳ２０４）情報送信部１１０３は、ステップＳ２０３で決定したモードに従って、ステップＳ２０１で取得した情報を送信する。ステップＳ２０２に戻る。
なお、図２のフローチャートにおいて、電源オフや処理の終了を指示する信号の入力等の割り込みがあると、処理が終了する。
次に、動作装置１２の動作について図３のフローチャートを用いて説明する。
（ステップＳ３０１）情報受信部１２０１が情報を受信したか否かを判断する。情報を受信したと判断するとステップＳ３０２に進み、情報を受信していないと判断するとステップＳ３０１に戻る。
（ステップＳ３０２）認証部１２０２は、受信した情報に基づいて認証を行う。
（ステップＳ３０３）動作部１２０３は、認証部１２０２における認証結果が認証許可であるか否かを判断する。認証許可であればステップＳ３０４に進み、認証許可でなければステップＳ３０１に戻る。
（ステップＳ３０４）動作部１２０３は、予め決められた動作を行う。ステップＳ３０１に戻る。
なお、図３のフローチャートにおいて、電源オフや処理の終了を指示する信号の入力等の割り込みが有る場合に、処理が終了する。
【実施例１】  以下、本実施の形態における情報処理システムの具体的な動作について、実施例１によって説明する。図１で示す構成要素と同等の構成要素については同じ符号を付して説明する。情報処理システムの概念図を図４に示す。情報処理システムを構成する情報送信装置４１は、携帯型の端末である。情報送信装置４１は、ユーザーが保持している。ユーザーは、情報送信装置４１を持った状態で移動する。情報送信装置４１は、情報送信装置自身を識別する情報送信装置識別子「１２３４」を情報格納部１１０１に保持している。情報送信装置４１の情報送信部１１０３は、ブルートゥースの通信手段である。情報送信装置４１は、自身の移動する速度に従って、図５に示すような３つのモード（情報の送信距離）のうち一のモードを決定し、当該モードに従って情報を送信する。つまり、情報送信装置４１は、情報送信装置４１が「０．１〜１．０ｍ／秒」の速度で移動する場合は、モード「１」と決定し、情報を「２ｍ」先の距離まで送信する。また、情報送信装置４１は、情報送信装置４１が「１．１〜３．０ｍ／秒」の速度で移動する場合は、モード「２」と決定し、情報を「４ｍ」先の距離まで送信する。さらに、情報送信装置４１は、情報送信装置４１が「３．１ｍ／秒以上」の速度で移動する場合は、モード「３」と決定し、情報を「６ｍ」先の距離まで送信する。なお、情報送信装置４１の情報送信部は、伝送電圧を変えることにより、情報の伝送距離を変更することができる。
実施例１では、情報処理システムを構成する動作装置４２は、自動ドアである。動作装置４２は、図６に示す１以上の情報送信装置識別子を保持している。動作装置４２は、受信した情報送信装置識別子が、保持している情報送信装置識別子の中に存在するか否かを判断する。動作装置４２は、受信した情報送信装置識別子が、保持している情報送信装置識別子の中に存在すれば、認証許可である、と判断して自動ドアを開く。また、動作装置４２は、一定時間経過後に自動ドアを閉じる。なお、自動ドアの向こう側は、空調設備により温度が一定に保たれている。
今、ユーザーは、情報送信装置４１を持って「２．０ｍ／秒」の速度で走っているとする。情報送信装置４１は、「２．０ｍ／秒」の速度を検知し、モードを「２」に決定する。そして、情報送信装置４１は、情報送信装置識別子「１２３４」を取得する。次に、情報送信装置４１は、４ｍの距離を飛ぶように伝送電圧をかけて、情報送信装置識別子「１２３４」を、繰り返し送信する。
そこで、動作装置４２は、４ｍ以内の場所に情報送信装置４１が存在する場合に、情報送信装置識別子「１２３４」を受信する。そして、動作装置４２は、受信した情報送信装置識別子「１２３４」が管理している図６の表の中に存在するか否かを判断する。本実施例の場合には、図６の表の三行目に情報送信装置識別子「１２３４」が存在するので、動作装置４２は認証許可である、と判断する。そして、動作装置４２に該当する自動ドアが開く。
実施例１では、自動ドアが動作装置４２に該当し、携帯型端末が情報送信装置４１に該当する。したがって、携帯型端末を持ったユーザーの移動速度にかかわらず、自動ドアは、携帯型端末を持ったユーザーが適切な位置に来た場合に、タイミング良くドアを開くことができる。したがって、ドア内部の温度は適切に保たれ、かつ、人の出入りがスムーズに行われる。
【実施例２】  本実施の形態において、情報送信装置は、図７に示すような情報送信モード管理表に基づいて情報を送信する距離を制御しても良い。
実施例２では、ＥＴＣのゲートが動作装置１２に該当し、ＥＴＣ車載器が情報送信装置１１に該当する。
図７において、自動車に搭載されたＥＴＣ車載器が停止している場合（すなわち、速度が０ｍ／秒）には、情報は１ｍの距離まで送信される。また、ＥＴＣ車載器が１５．１ｍ／秒以上の速度で移動する場合は、情報は１００ｍの距離まで送信される。このような高速で移動するＥＴＣ車載器からの信号をＥＴＣのゲートが遠距離から受信して動作する。すなわち、自動車の移動速度に応じて、自動車に搭載されたＥＴＣ車載器（情報送信装置１１）が、ＥＴＣのゲート（動作装置１２）に情報を送信する距離が変化する。その結果、自動車の移動速度が速いほど、ＥＴＣのゲートは遠方からの情報を受信して、ゲートを開く。
【実施例３】  本実施の形態において、さらに、情報送信装置は、図８に示すような情報送信モード管理表に基づいて情報を送信する距離を制御することが出来る。実施例３では、パーソナルコンピュータ（以下、ＰＣ）が動作装置１２に該当し、携帯情報端末（以下、ＰＤＡ）が、情報送信装置１１を搭載する。
図８において、ＰＤＡを保持する所有者が通常の歩く速度（約１ｍ／秒）で歩きながらＰＣに接近すると、ＰＤＡに搭載された情報送信装置１１はモード２を決定し、モード２に従って４メートルの距離まで情報を送信する。ＰＣが４メートルの距離の範囲内に達すると、動作装置１２であるＰＣの情報受信部１２０１が当該情報を受信する。情報を受信したＰＣは、自己の管理する情報送信装置識別子のリストの中に、当該ＰＤＡに割り当てられた情報送信装置識別子が含まれているか否かを判別する。当該ＰＤＡの情報送信装置識別子が、管理リストに含まれており、認証できると判断すると、待機状態のＰＣは、ユーザーＩＤとパスワードを自動的に入力し、入力制限解除の処理を実行する。これにより、ＰＤＡの所有者は、即座にＰＣを用いた業務を実行することが出来る。
また、入力制限解除の処理以外にも種々の機能を実行させても良い。例えば、画面を待機モードから動作モードにしたり、すなわち待機モードを解除したり、省電力モードから通常電力モードに移行したり、ＰＣを立ち上げたり、ログインしたりしても良い。
また、本実施の形態において、速度と加速度以外の、情報送信装置の移動状態に基づいて情報を送信できる距離を変更して、当該情報を送信する情報送信装置であっても良い。移動状態とは、情報送信装置の速度と加速度以外に、情報送信装置が移動した距離や、移動したコース（過程）などでも良い。
また、専用の情報送信装置１１を用いても良い。専用の情報送信装置１１をカード形状に作製して所有者が保持すれば、動作装置１２に該当する装置、すなわち扉、ゲート、ＰＣまたはＰＤＡ、に近づく速度、もしくは、加速度に応じて電波の飛ぶ距離を制御することが出来る。それにより、動作装置１２の機能に応じた制限解除をユーザーに不便を強いることなく実現することが出来るとともに、セキュリティの確保も実現できる。具体的には、セキュリティが確保された状態で、扉もしくはゲートの開閉に際して、立ち止まって、扉もしくはゲートが開くのを待つ必要を無くすことが出来、または、入力制限の解除等に際して、ユーザーによりパスワード等の入力を行う必要を無くしたりすることが可能となる。
以上、本実施の形態によれば、情報送信装置が移動する移動状態に基づいて情報を送信する距離を変更して当該情報を送信することにより、情報送信装置の移動速度に関わらず、当該情報を受信して動作する動作装置が適切なタイミングで動作できる。
なお、本実施の形態において、情報送信はブルートゥースを用いた例で説明したが、他の無線通信手段を用いることもできる。
また、本実施の形態において、情報送信装置が保持している情報は認証のための情報であったが、他の情報でも良い。
また、本実施の形態において、動作装置は認証部を具備したが、認証部は必須の構成要素ではない。
また、本実施の形態において、動作装置の認証部の認証方法は他の方法でも良いのは言うまでもない。
また、本実施の形態において、情報送信装置１１は速度に基づいて情報を送信できる距離を変更して、当該情報を送信した。しかし、情報送信装置の加速度に基づいて情報を送信できる距離を変更して、当該情報を送信しても良い。つまり、上記の情報送信装置１１の速度検知部１１０２に変えて加速度検知部を用い、情報送信部１１０３は、加速度検知部が検知した加速度に基づいて情報を送信できる距離を変更して、当該情報を送信するものである。なお、加速度検知部は、加速度センサとそのドライバーソフトウェアで実現され得る。かかる場合、情報送信装置１１は、情報を格納している情報格納部１１０１と、加速度を検知する加速度検知部と、加速度に基づいて情報を送信できる距離を変更して、当該情報を送信する情報送信部１１０３を具備する情報送信装置１１である。また、本実施の形態において、速度と加速度以外の、情報送信装置の移動状態に基づいて情報を送信できる距離を変更して、当該情報を送信する情報送信装置であっても良い。移動状態とは、情報送信装置の速度と加速度以外に、情報送信装置が移動した距離や、移動したコース（過程）などでも良い。
さらに、本実施の形態において説明した動作は、コンピュータ読み取り可能なプログラムで実現しても良い。当該プログラムは、ＣＤ−ＲＯＭなどの記録媒体に記録して配布しても良いし、ネットワークを通じて配信しても良いし、放送で配信しても良い。かかることも、他の実施の形態においても同様である。なお、本実施の形態において説明した動作を実現するプログラムは、コンピュータに実行させるためのプログラムであって、情報送信装置の移動状態を検知する検知ステップと、前記移動状態に基づいて、格納している情報を送信する距離を変更して、当該情報を送信する情報送信ステップを有する。また、本実施の形態において説明した動作を実現するプログラムは、コンピュータに、速度を検知する速度検知ステップと、速度に基づいて格納している情報を送信できる距離を変更して、当該情報を送信する情報送信ステップを実行させるためのプログラム、である。また、コンピュータに、加速度を検知する加速度検知ステップと、加速度に基づいて格納している情報を送信できる距離を変更して、当該情報を送信する情報送信ステップを実行させるためのプログラムである。
【産業上の利用可能性】  以上説明したように、本発明の情報を送信する情報送信部を具備する情報送信装置により、移動状態に基づいて、自動的に情報の送信距離が変化し、情報を受信して動作する装置がタイミングよく動作させることができる。
図面の参照符号の一覧表
１１、４１  情報送信装置
１２、４２  動作装置
１１０１  情報格納部
１１０２  速度検知部
１１０３  情報送信部
１２０１  情報受信部
１２０２  認証部
１２０３  動作部
【図１】
2004047319.tif 000003
【図２】
2004047319.tif 000004
【図３】
2004047319.tif 000005
【図４】
2004047319.tif 000006
【図５】
2004047319.tif 000007
【図６】
2004047319.tif 000008
【図７】
2004047319.tif 000009
【図８】
2004047319.tif 000010
【手続補正書】
【提出日】平成17年3月17日(2005.3.17)
【手続補正１】
【補正対象書類名】特許請求の範囲
【補正対象項目名】全文
【補正方法】変更
【補正の内容】
【特許請求の範囲】
【請求項１】
情報送信装置であって、
情報を格納している情報格納部と、
前記情報送信装置の移動状態を検知する検知部と、
前記移動状態に基づいて前記情報を送信する距離を変更して、前記情報を送信する情報送信部を有する。
【請求項２】
請求項１記載の情報送信装置であって、前記移動状態が、前記情報送信装置の移動速度、移動の加速度、移動距離及び移動コースから選ばれる少なくとも１の状態でありであり、前記検知部が前記移動状態を検知する。
【請求項３】
請求項１記載の情報送信装置であって、前記情報送信部は、ブルートゥースの規格に適合する通信手段である。
【請求項４】
請求項１記載の情報送信装置であって、前記情報送信部は、前記移動状態を複数の段階に区分し、区分された段階毎に所定の電力で前記格納された情報を送信する。
【請求項５】
請求項１記載の情報送信装置であって、前記情報送信部は、前記移動状態を複数の段階に区分し、区分された段階毎に送信する距離を変更して前記格納された情報を送信する。
【請求項６】
請求項１記載の情報送信装置であって、
前記検知部が前記情報送信装置の移動速度、移動の加速度、移動距離及び移動コースから選ばれる少なくとも１の状態を検知し、
前記情報送信部は、検知された前記移動状態を複数の段階に区分し、前記段階ごとに前記格納された情報を送信する距離を変更して送信する。
【請求項７】
動作装置であって、
情報を格納している情報格納部と、前記情報送信装置の移動状態を検知する検知部と、前記移動状態に基づいて前記情報を送信する距離を変更して、前記情報を送信する情報送信部を有する情報送信装置から情報を受信する情報受信部と、
前記受信した情報に基づいて認証を行う認証部と、
前記認証部における認証結果が認証許可との認証結果である場合に、予め決められた動作を行う動作部を具備する。
【請求項８】
請求項７記載の動作装置であって、前記動作装置が自動ドアであり、前記動作部は前記ドアを開く動作を行う。
【請求項９】
情報処理システムであって
情報を格納している情報格納部と、
前記情報送信装置の移動状態を検知する検知部と、
前記移動状態に基づいて前記情報を送信する距離を変更して前記情報を送信する情報送信部と
を有する情報送信装置と、
前記情報送信装置から情報を受信する情報受信部と、
前記受信した情報に基づいて認証を行う認証部と、
前記認証部における認証結果が認証許可との認証結果である場合に、予め決められた動作を行う動作部と
を有する動作装置からなる。
【請求項１０】
請求項９記載の情報処理システムであって、
前記移動状態が、前記情報送信装置の移動速度、移動の加速度、移動距離及び移動コースから選ばれる少なくとも１の状態であり、
前記検知部が前記移動状態を検知し、
前記情報送信部は、ブルートゥースの規格に適合する通信手段である。
【請求項１１】
請求項９記載の情報処理システムであって前記情報送信部は、前記移動状態を複数の段階に区分し、前記段階毎に所定の電力で前記情報を送信する。
【請求項１２】
コンピュータに実行させるためのプログラムであって、
情報送信装置の移動状態を検知する検知ステップと、
前記移動状態に基づいて、格納している情報を送信する距離を変更して、当該情報を送信する情報送信ステップを有する。
【請求項１３】
請求項１２記載のプログラムであって、
前記検知ステップが前記情報送信装置の移動速度、移動の加速度、移動距離及び移動コースから選ばれる少なくとも１の状態を検知するステップであることを特徴とする。
【請求項１４】
請求項１２記載のプログラムであって、
前記検知ステップが、前記情報送信装置の移動する速度を検知するステップを含み、
前記情報送信ステップが、前記速度に基づいて前記情報を送信する距離を変更して送信するステップを含む。
【請求項１５】
請求項１２記載のプログラムであって、
前記検知ステップが、前記情報送信装置の移動する加速度を検知するステップを含み、
前記情報送信ステップが、前記加速度に基づいて前記情報を送信する距離を変更して送信するステップを含む。
【手続補正２】
【補正対象書類名】明細書
【補正対象項目名】全文
【補正方法】変更
【補正の内容】
【書類名】明細書
【技術分野】
【０００１】
本発明は、速度または加速度などの移動状態に応じて情報の送信距離を変更する情報処理システム等に関する。
【背景技術】
【０００２】
従来技術として、ブルートゥース（Ｂｌｕｅｔｏｏｔｈ）が知られている。同技術は、無線通信規格であり、伝送距離は送信電力が１ｍＷのときに約１０ｍと、省電力、短距離を意識した無線規格である。また、送信電力を上げることにより、現在のところ、最大で１００ｍまで伝送距離を伸ばすことができる。（Ｂｌｕｅｔｏｏｔｈは「テレフオンアクチーボラゲット  エル  エム  エリクソン」社の登録商標）
【０００３】
しかし、上記従来技術では、移動する速度や移動する加速度に基づいて、自動的に情報の送信距離が変わらないために、移動する情報送信装置から情報を受信して動作する装置が、タイミングよく動作できない、という問題があった。さらに、上記従来技術では、「停止中には、ごく近距離だけに情報を送信して近傍の機器のみを認証し、一方、移動中にはタイミングよく認証可能なように速度に応じて送信する」ことができない、という問題があった。
【発明の開示】
【０００４】
本発明の目的は、移動状態に応じて、自動的に情報の送信距離が変化し、情報を受信して動作する装置がタイミングよく動作できるようにすることである。この目的を実現するため、本発明の情報送信装置は、情報を格納している情報格納部と、前記情報送信装置の移動状態を検知する検知部と、前記移動状態に基づいて前記情報を送信する距離を変更して、前記情報を送信する情報送信部を有する。
【０００５】
また、本発明の動作装置は、上記の情報送信装置から情報を受信する情報受信部と、前記受信した情報に基づいて認証を行う認証部と、前記認証部における認証結果が認証許可との認証結果である場合に、予め決められた動作を行う動作部を有する。
【０００６】
また、本発明の情報処理システムは、上記の情報送信装置と動作装置からなる情報送受信装置であり、本発明のプログラムはコンピュータに上記の情報処理システムにおける各ステップの制御を実行させる。
【発明の効果】
【０００７】
以上説明したように、本発明の情報を送信する情報送信部を具備する情報送信装置により、移動状態に基づいて、自動的に情報の送信距離が変化し、情報を受信して動作する装置がタイミングよく動作させることができる。
【発明を実施するための最良の形態】
【０００８】
(発明の実施の形態)
以下、情報処理システム等の実施形態について図面を参照して説明する。なお、実施の形態において同じ符号を付した構成要素は同様の動作を行うので、再度の説明を省略する場合がある。
【０００９】
図１は、実施の形態における情報処理システムのブロック図である。情報処理システムは、情報送信装置１１と動作装置１２を有する。
【００１０】
情報送信装置１１は、情報格納部１１０１、速度検知部１１０２、情報送信部１１０３を具備する。動作装置１２は、情報受信部１２０１、認証部１２０２、動作部１２０３を具備する。
【００１１】
情報格納部１１０１は、情報を格納している。情報は、動作装置１２で認証を行うための情報や、情報送信装置１１を識別するための情報送信装置識別子などの情報を含むものである。但し、情報の内容や構造等は問わない。情報格納部１１０１は、不揮発性の記録媒体でも揮発性の記録媒体でも良い。
【００１２】
速度検知部１１０２は、情報送信装置１１の動く速度を検知する。速度検知部１１０２は、速度センサとそのドライバーソフトウェアによって実現することが出来る。
【００１３】
情報送信部１１０３は、速度に基づいて情報を送信できる距離を変更して、情報格納部１１０１の情報を送信する。情報送信部１１０３は、無線通信手段で実現され得る。情報送信部１１０３は、例えば、ブルートゥースの規格に適合する通信手段である。情報送信部１１０３は、例えば、速度に基づいて、情報を送信する距離を３段階に変更して、情報を送信する。また、情報送信部１１０３は、例えば、ブルートゥース以外のＵｌｔｒａ ＷｉｄｅＢａｎｄ Ａｃｃｅｓｓ、ＩＥＥＥ８０２．１１ｂ、ＩｒＤＡ、Ｗｉｒｅｌｅｓｓ１３９４等の規格に適合する通信手段であっても良い。
【００１４】
情報受信部１２０１は、情報送信装置１１から情報を受信する。情報受信部１２０１は、無線通信手段で実現され得る。情報受信部１２０１は、例えば、ブルートゥースの規格に適合する通信手段である。情報受信部１２０１は、例えば、ブルートゥース以外のＵｌｔｒａ ＷｉｄｅＢａｎｄ ＡｃｃｅｓｓやＩＥＥＥ８０２．１１ｂ等の規格に適合する通信手段であっても良い。
【００１５】
認証部１２０２は、受信した情報に基づいて認証を行う。認証部１２０２は、例えば、以下の処理により認証を行う。認証部１２０２は、認証される情報送信装置を識別する情報送信装置識別子を１以上格納している。認証部１２０２は、受信した情報が、格納している情報送信装置識別子の中に存在するか否かを判断し、存在すれば認証許可と判断し、存在しなければ認証不許可と判断する。認証部１２０２は、通常、ＭＰＵやメモリ等から実現され得る。認証部１２０２が認証するための処理手順は、通常、ソフトウェアで実現され、当該ソフトウェアはＲＯＭ等の記録媒体に記録されている。但し、ハードウェア（専用回路）で実現しても良い。
【００１６】
動作部１２０３は、認証部１２０２において、「認証許可」という認証結果を得た場合に、予め決められた動作を行う。ここでいう動作には種々の動作が含まれており、本発明は動作の内容によっては限定されない。なお、動作の内容は、他の情報や要因により変化しても良い。動作は、例えば、自動ドアを開く動作である。かかる場合、動作装置は、自動ドアである。
【００１７】
以下、本情報処理システムの動作について説明する。まず、情報送信装置１１の動作について、図２のフローチャートを用いて説明する。
【００１８】
（ステップＳ２０１）情報送信部１１０３は、情報格納部１１０１から情報を取得する。
【００１９】
（ステップＳ２０２）速度検知部１１０２は、情報送信装置１１が動く速度を検知する。
【００２０】
（ステップＳ２０３）情報送信部１１０３は、ステップＳ２０２で検知した速度に基づいて、情報を送信するモードを決定する。このモードは、情報の送信距離を決定するモードである。つまり、モードが異なれば、情報の送信距離が異なる。
【００２１】
（ステップＳ２０４）情報送信部１１０３は、ステップＳ２０３で決定したモードに従って、ステップＳ２０１で取得した情報を送信する。ステップＳ２０２に戻る。
【００２２】
なお、図２のフローチャートにおいて、電源オフや処理の終了を指示する信号の入力等の割り込みがあると、処理が終了する。
【００２３】
次に、動作装置１２の動作について図３のフローチャートを用いて説明する。
【００２４】
（ステップＳ３０１）情報受信部１２０１が情報を受信したか否かを判断する。情報を受信したと判断するとステップＳ３０２に進み、情報を受信していないと判断するとステップＳ３０１に戻る。
【００２５】
（ステップＳ３０２）認証部１２０２は、受信した情報に基づいて認証を行う。
【００２６】
（ステップＳ３０３）動作部１２０３は、認証部１２０２における認証結果が認証許可であるか否かを判断する。認証許可であればステップＳ３０４に進み、認証許可でなければステップＳ３０１に戻る。
【００２７】
（ステップＳ３０４）動作部１２０３は、予め決められた動作を行う。ステップＳ３０１に戻る。
【００２８】
なお、図３のフローチャートにおいて、電源オフや処理の終了を指示する信号の入力等の割り込みが有る場合に、処理が終了する。
【００２９】
(実施例１)
以下、本実施の形態における情報処理システムの具体的な動作について、実施例１によって説明する。図１で示す構成要素と同等の構成要素については同じ符号を付して説明する。情報処理システムの概念図を図４に示す。情報処理システムを構成する情報送信装置４１は、携帯型の端末である。情報送信装置４１は、ユーザーが保持している。ユーザーは、情報送信装置４１を持った状態で移動する。情報送信装置４１は、情報送信装置自身を識別する情報送信装置識別子「１２３４」を情報格納部１１０１に保持している。情報送信装置４１の情報送信部１１０３は、ブルートゥースの通信手段である。情報送信装置４１は、自身の移動する速度に従って、図５に示すような３つのモード（情報の送信距離）のうち一のモードを決定し、当該モードに従って情報を送信する。つまり、情報送信装置４１は、情報送信装置４１が「０．１〜１．０ｍ／秒」の速度で移動する場合は、モード「１」と決定し、情報を「２ｍ」先の距離まで送信する。また、情報送信装置４１は、情報送信装置４１が「１．１〜３．０ｍ／秒」の速度で移動する場合は、モード「２」と決定し、情報を「４ｍ」先の距離まで送信する。さらに、情報送信装置４１は、情報送信装置４１が「３．１ｍ／秒以上」の速度で移動する場合は、モード「３」と決定し、情報を「６ｍ」先の距離まで送信する。なお、情報送信装置４１の情報送信部は、伝送電圧を変えることにより、情報の伝送距離を変更することができる。
【００３０】
実施例１では、情報処理システムを構成する動作装置４２は、自動ドアである。動作装置４２は、図６に示す１以上の情報送信装置識別子を保持している。動作装置４２は、受信した情報送信装置識別子が、保持している情報送信装置識別子の中に存在するか否かを判断する。動作装置４２は、受信した情報送信装置識別子が、保持している情報送信装置識別子の中に存在すれば、認証許可である、と判断して自動ドアを開く。また、動作装置４２は、一定時間経過後に自動ドアを閉じる。なお、自動ドアの向こう側は、空調設備により温度が一定に保たれている。
【００３１】
今、ユーザーは、情報送信装置４１を持って「２．０ｍ／秒」の速度で走っているとする。情報送信装置４１は、「２．０ｍ／秒」の速度を検知し、モードを「２」に決定する。そして、情報送信装置４１は、情報送信装置識別子「１２３４」を取得する。次に、情報送信装置４１は、４ｍの距離を飛ぶように伝送電圧をかけて、情報送信装置識別子「１２３４」を、繰り返し送信する。
【００３２】
そこで、動作装置４２は、４ｍ以内の場所に情報送信装置４１が存在する場合に、情報送信装置識別子「１２３４」を受信する。そして、動作装置４２は、受信した情報送信装置識別子「１２３４」が管理している図６の表の中に存在するか否かを判断する。本実施例の場合には、図６の表の三行目に情報送信装置識別子「１２３４」が存在するので、動作装置４２は認証許可である、と判断する。そして、動作装置４２に該当する自動ドアが開く。
【００３３】
実施例１では、自動ドアが動作装置４２に該当し、携帯型端末が情報送信装置４１に該当する。したがって、携帯型端末を持ったユーザーの移動速度にかかわらず、自動ドアは、携帯型端末を持ったユーザーが適切な位置に来た場合に、タイミング良くドアを開くことができる。したがって、ドア内部の温度は適切に保たれ、かつ、人の出入りがスムーズに行われる。
【００３４】
(実施例２)
本実施の形態において、情報送信装置は、図７に示すような情報送信モード管理表に基づいて情報を送信する距離を制御しても良い。
【００３５】
実施例２では、ＥＴＣのゲートが動作装置１２に該当し、ＥＴＣ車載器が情報送信装置１１に該当する。
【００３６】
図７において、自動車に搭載されたＥＴＣ車載器が停止している場合（すなわち、速度が０ｍ／秒）には、情報は１ｍの距離まで送信される。また、ＥＴＣ車載器が１５．１ｍ／秒以上の速度で移動する場合は、情報は１００ｍの距離まで送信される。このような高速で移動するＥＴＣ車載器からの信号をＥＴＣのゲートが遠距離から受信して動作する。すなわち、自動車の移動速度に応じて、自動車に搭載されたＥＴＣ車載器（情報送信装置１１）が、ＥＴＣのゲート（動作装置１２）に情報を送信する距離が変化する。その結果、自動車の移動速度が速いほど、ＥＴＣのゲートは遠方からの情報を受信して、ゲートを開く。
【００３７】
(実施例３)
本実施の形態において、さらに、情報送信装置は、図８に示すような情報送信モード管理表に基づいて情報を送信する距離を制御することが出来る。実施例３では、パーソナルコンピュータ（以下、ＰＣ）が動作装置１２に該当し、携帯情報端末(以下、ＰＤＡ)が、情報送信装置１１を搭載する。
【００３８】
図８において、ＰＤＡを保持する所有者が通常の歩く速度（約1ｍ/秒）で歩きながらＰＣに接近すると、ＰＤＡに搭載された情報送信装置１１はモード２を決定し、モード２に従って４メートルの距離まで情報を送信する。ＰＣが４メートルの距離の範囲内に達すると、動作装置１２であるＰＣの情報受信部１２０１が当該情報を受信する。情報を受信したＰＣは、自己の管理する情報送信装置識別子のリストの中に、当該ＰＤＡに割り当てられた情報送信装置識別子が含まれているか否かを判別する。当該ＰＤＡの情報送信装置識別子が、管理リストに含まれており、認証できると判断すると、待機状態のＰＣは、ユーザーＩＤとパスワードを自動的に入力し、入力制限解除の処理を実行する。これにより、ＰＤＡの所有者は、即座にＰＣを用いた業務を実行することが出来る。
【００３９】
また、入力制限解除の処理以外にも種々の機能を実行させても良い。例えば、画面を待機モードから動作モードにしたり、すなわち待機モードを解除したり、省電力モードから通常電力モードに移行したり、ＰＣを立ち上げたり、ログインしたりしても良い。
【００４０】
また、本実施の形態において、速度と加速度以外の、情報送信装置の移動状態に基づいて情報を送信できる距離を変更して、当該情報を送信する情報送信装置であっても良い。移動状態とは、情報送信装置の速度と加速度以外に、情報送信装置が移動した距離や、移動したコース（過程）などでも良い。
【００４１】
また、専用の情報送信装置１１を用いても良い。専用の情報送信装置１１をカード形状に作製して所有者が保持すれば、動作装置１２に該当する装置、すなわち扉、ゲート、ＰＣまたはＰＤＡ、に近づく速度、もしくは、加速度に応じて電波の飛ぶ距離を制御することが出来る。それにより、動作装置１２の機能に応じた制限解除をユーザーに不便を強いることなく実現することが出来るとともに、セキュリティの確保も実現できる。具体的には、セキュリティが確保された状態で、扉もしくはゲートの開閉に際して、立ち止まって、扉もしくはゲートが開くのを待つ必要を無くすことが出来、または、入力制限の解除等に際して、ユーザーによりパスワード等の入力を行う必要を無くしたりすることが可能となる。
【００４２】
以上、本実施の形態によれば、情報送信装置が移動する移動状態に基づいて情報を送信する距離を変更して当該情報を送信することにより、情報送信装置の移動速度に関わらず、当該情報を受信して動作する動作装置が適切なタイミングで動作できる。
【００４３】
なお、本実施の形態において、情報送信はブルートゥースを用いた例で説明したが、他の無線通信手段を用いることもできる。
【００４４】
また、本実施の形態において、情報送信装置が保持している情報は認証のための情報であったが、他の情報でも良い。
【００４５】
また、本実施の形態において、動作装置は認証部を具備したが、認証部は必須の構成要素ではない。
【００４６】
また、本実施の形態において、動作装置の認証部の認証方法は他の方法でも良いのは言うまでもない。
【００４７】
また、本実施の形態において、情報送信装置１１は速度に基づいて情報を送信できる距離を変更して、当該情報を送信した。しかし、情報送信装置の加速度に基づいて情報を送信できる距離を変更して、当該情報を送信しても良い。つまり、上記の情報送信装置１１の速度検知部１１０２に変えて加速度検知部を用い、情報送信部１１０３は、加速度検知部が検知した加速度に基づいて情報を送信できる距離を変更して、当該情報を送信するものである。なお、加速度検知部は、加速度センサとそのドライバーソフトウェアで実現され得る。かかる場合、情報送信装置１１は、情報を格納している情報格納部１１０１と、加速度を検知する加速度検知部と、加速度に基づいて情報を送信できる距離を変更して、当該情報を送信する情報送信部１１０３を具備する情報送信装置１１である。また、本実施の形態において、速度と加速度以外の、情報送信装置の移動状態に基づいて情報を送信できる距離を変更して、当該情報を送信する情報送信装置であっても良い。移動状態とは、情報送信装置の速度と加速度以外に、情報送信装置が移動した距離や、移動したコース（過程）などでも良い。
【００４８】
さらに、本実施の形態において説明した動作は、コンピュータ読み取り可能なプログラムで実現しても良い。当該プログラムは、ＣＤ−ＲＯＭなどの記録媒体に記録して配布しても良いし、ネットワークを通じて配信しても良いし、放送で配信しても良い。かかることも、他の実施の形態においても同様である。なお、本実施の形態において説明した動作を実現するプログラムは、コンピュータに実行させるためのプログラムであって、情報送信装置の移動状態を検知する検知ステップと、前記移動状態に基づいて、格納している情報を送信する距離を変更して、当該情報を送信する情報送信ステップを有する。また、本実施の形態において説明した動作を実現するプログラムは、コンピュータに、速度を検知する速度検知ステップと、速度に基づいて格納している情報を送信できる距離を変更して、当該情報を送信する情報送信ステップを実行させるためのプログラム、である。また、コンピュータに、加速度を検知する加速度検知ステップと、加速度に基づいて格納している情報を送信できる距離を変更して、当該情報を送信する情報送信ステップを実行させるためのプログラムである。
【産業上の利用可能性】
【００４９】
以上説明したように、本発明の情報を送信する情報送信部を具備する情報送信装置により、移動状態に基づいて、自動的に情報の送信距離が変化し、情報を受信して動作する装置がタイミングよく動作させることができる。
【図面の簡単な説明】
【００５０】
【図１】実施の形態における情報処理システムのブロック図
【図２】実施の形態における情報送信装置の動作について説明するフローチャート
【図３】実施の形態における動作装置の動作について説明するフローチャート
【図４】実施の形態における情報処理システムの概念図
【図５】実施の形態における実施例１の情報送信装置の情報送信モード管理表を示す図
【図６】実施の形態における動作装置の情報送信装置識別子管理表を示す図
【図７】実施の形態における実施例２の情報送信装置の情報送信モード管理表を示す図
【図８】実施の形態における実施例３の情報処理装置の情報送信モード管理表を示す図
【符号の説明】
【００５１】
１１、４１  情報送信装置
１２、４２  動作装置
１１０１  情報格納部
１１０２  速度検知部
１１０３  情報送信部
１２０１  情報受信部
１２０２  認証部
１２０３  動作部
【手続補正３】
【補正対象書類名】図面
【補正対象項目名】全図
【補正方法】変更
【補正の内容】
【図１】
2004047319.tif 000011
【図２】
2004047319.tif 000012
【図３】
2004047319.tif 000013
【図４】
2004047319.tif 000014
【図５】
2004047319.tif 000015
【図６】
2004047319.tif 000016
【図７】
2004047319.tif 000017
【図８】
2004047319.tif 000018
【国際調査報告】
2004047319.tif 000019
2004047319.tif 000020
2004047319.tif 000021